(57)【特許請求の範囲】
【請求項１】
二つ折りにできるティッシュペーパーケース本体外側（１ａ）、ティッシュペーパーケース本体内側（１ｂ）に観音開きで左右完全に開ききる蓋を設け、
ボックスティッシュペーパーの束を押さえる観音開きの右蓋（２ａ）、ボックスティッシュペーパーの束を押さえる観音開きの左蓋（２ｂ）を設け、
左右の観音開きの蓋（３）を開けボックスティッシュペーパーから抜出したティッシュペーパー（６）を固定し、観音開きの蓋（３）を閉じた時の端をボタン・スナップ・面ファスナー等の止め具（７）で４箇所固定し、
ティッシュペーパーケース本体内側（１ｂ）にティッシュペーパーケース本体内側（１ｂ）とほぼ同寸の開口口にファスナーまたはスライダー等の結合部を設けた小物収納ポケット部（４）を重ね合わせ、ファスナーまたはスライダー等の結合部（９）以外の縁を縫い合わせ固定し、
ティッシュペーパーケース本体内側（１ｂ）にファスナーまたはスライダー等の結合部を設けた小物収納ポケット部（４）との間に物が入れられる収納部ができ、使用済みのゴミとなったティッシュペーパーなどを一時的に保管できるゴミ入れ部（５）を設けた詰め替え補充ができる携帯ティッシュペーパーケース。
【発明の詳細な説明】
【技術分野】
【０００１】
本発明は風邪やアレルギー性鼻炎等で鼻水を素早く処理する為に、取り出しやすいボックスティッシュペーパーを適量携帯でき、マスクや目薬を清潔に保てる収納部を持ち、ゴミ入れ部分を設けた詰め替え補充ができる携帯ティッシュペーパーケースに関するものである。
【背景技術】
【０００２】
従来、携帯するティッシュペーパーはポケットティッシュペーパーであったが使用する時は広げなければならず急いでいる時はこの作業が煩わしかった。
また、先行技術にティッシュペーパーを補充するための補充口を有した携帯ティッシュペーパーケースが有るが補充するには全てのティッシュペーパーを使い終わっているか残りを取り出してしまわなければ補充が楽にできなかった。
ティッシュペーパーを補充できる携帯ティッシュペーパーケース（たとえば、特許文献１参照）。
また、詰替え用ティッシュペーパーケース（たとえば、特許文献２参照）。
【先行技術文献】
【特許文献】
【０００３】
【特許文献１】特開平１１−４７１１号公報
【特許文献２】特開２０１１−０２５９９５号公報
【発明の概要】
【発明が解決しようとする課題】
【０００４】
しかしながら、一般的に携帯するティッシュペーパーはポケットティッシュペーパーでコンパクトではあるがアレルギー性鼻炎や風邪で鼻水が多量にでる時は収納されているティッシュペーパーの枚数が少ないため予備にポケットティッシュペーパー何個も持ち歩かなければならない。
また、ボックスティッシュペーパーを持ち運ぶのはかさ張り、使い始めは重さも有り携帯には不向きであった。
また、補充できる、詰替えが出来るボックスティッシュペーパー用のケースが有るが簡単に補充出来なかったという問題点があった。
本発明は、これらの問題点を解決し大人でも子供でも補充しやすく自分の好みのボックスティッシュペーパーを適量持ち運べるようにするためのものである。
【課題を解決するための手段】
【０００５】
ボックスティッシュペーパーを補充する部分は観音開きで大きく広げられ補充したい枚数のボックスティッシュペーパーを乗せ、閉じるだけでだれでも簡単にセットが出来るようにした。
小物収納ポケット設け、さらに使用済みのティッシュペーパーを一時的に入れておくことのできるゴミ入れ部を設けたことを特徴とする詰め替え補充ができる携帯ティッシュペーパーケース。
【発明の効果】
【０００６】
本発明品は、ボックスティッシュペーパーの使いやすさを外出先でも同様に使えるようにし、ボックスティッシュペーパーを持ち歩く時の難点を解決し、だれでも簡単に詰め替え補充ができ、予備用マスクや目薬等を清潔に保ちながら一緒に携帯できる収納部分を設け、さらに使用済みのティッシュペーパーを一時的に入れておくことのできるゴミ入れ部を設けた詰め替え補充ができる携帯ティッシュペーパーケース。
適量のボックスティッシュペーパーを収納する部分とファスナーまたはスライダー等の結合部付きポケットを設け、さらにゴミを入れるためのビニール袋を予め入れておける収納部を設け、使用済みのティッシュペーパーを一時保管できるようにし、アレルギー性鼻炎や花粉症や風邪の時にこのケースを持っていれば必要な物が揃っているので外出する際に携帯していれば便利である。
また、乳幼児を連れての外出のように少し多めのティッシュペーパーを必要とする時には取り出しやすく、小物収納ポケットには乳幼児に必要な小物を清潔に持ち運ぶことが出来る。
本願のような構成をとることにより幅広く使用が可能になるなど多くの特徴を有するものとなる。
【図面の簡単な説明】
【０００７】
【図１】本発明の２つ折り携帯時の説明図である。
【図２】２つ折りだった図１の内面の説明図である。
【図３】ゴミ入れ部を示した説明図である。
【図４】マスク等の小物を入れられるファスナーまたはスライダー等の結合部付きポケットを開いた説明図である。
【図５】ボックスティッシュペーパーを補充するために片方の観音開きを示したに説明図である。
【図６】ボックスティッシュペーパーを補充するためにもう片方の観音開きを示したに説明図である。
【図７】ボックスティッシュペーパーを補充するために観音開きを示したに説明図である。
【発明を実施するための形態】
【０００８】
以下、本発明の実施の形態について説明する。
ボックスティッシュペーパーの取り出しやすさと自分好みの質感のティッシュペーパーを適量携帯でき、花粉症に欠かせないマスクの予備用や目薬なども清潔に保ちながら収納できるようにし、さらに使用済みのティッシュペーパーを一時的に入れておくことのできるゴミ入れ部を設けた、詰め替え補充ができる携帯ティッシュペーパーケースであり、布、または、可撓性塩化ビニール系またはオレフィン系樹脂により形成された生地、または、特殊紙等よりなり、二つ折りにできるボックスティッシュペーパーケース本体外側（１ａ）、ボックスティッシュペーパーケース本体内側（１ｂ）に観音開きで左右完全に開ききる蓋を設け、ボックスティッシュペーパーの束を押さえる観音開きの右蓋（２ａ）、ボックスティッシュペーパーの束を押さえる観音開きの左蓋（２ｂ）を設け、左右の観音開きの蓋（３）を開けボックスティッシュペーパーから抜出したボックスティッシュペーパー（６）を固定し、観音開きの蓋（３）を閉じた時の端をボタン・スナップ・面ファスナー等の止め具（７）で４箇所固定する。
ボックスティッシュペーパーケース本体内側（１ｂ）にボックスティッシュペーパーケース本体内側（１ｂ）とほぼ同寸の開口口にファスナーまたはスライダー等の結合部などをもうけた小物収納ポケット部（４）を重ね合わせ、ファスナーまたはスライダー等の結合部（９）以外の縁を縫い合わせ固定する。
ボックスティッシュペーパーケース本体内側（１ｂ）にファスナーまたはスライダー等の結合部をもうけた小物収納ポケット部（４）との間に物が入れられる収納部ができ使用済みのゴミとなったティッシュペーパーなどを一時的に保管できるゴミ入れ部（５）を設け、ゴミが飛び出してこないようにボタン・スナップ・面ファスナー等の止め具（７）で２箇所固定する。
携帯しやすいように紐が通せるようにまたはフックなどがかけられるようにリングフック（８）を２箇所固定する。
アレルギー性鼻炎や花粉症で鼻をかむ回数が多く、ボックスティッシュペーパーを持ち歩きたいが箱がかさばり開封直後は少々重たいため携帯しにくい、また、ポケットティッシュペーパーはコンパクトで軽量で携帯しやすいがボックスティッシュペーパーに比べると面積も小さく、柔らかいため破けてしまうことがある、使用する時は取り出して広げなければならず、アレルギー性鼻炎や花粉症の鼻水の処理は１枚では足りず２，３枚重ねて使うことがあるため毎回広げて重ねる作業をしながら使っていた。
また、収納枚数が少ないため何個も持ち歩かなければならなかった。
外出先で急に流れだす鼻水を素早く処理するために使い慣れているボックスティッシュペーパーの便利さを持ち歩くために、かさばらず、鼻をかんで出たゴミを捨てたくてもゴミ箱まで遠い場合やゴミ箱がない時でも一時的にしまっておけるゴミ入れ部があり一時的に始末できる。
そこで、適量枚数を持ち運べ、補充が簡単にできる携帯ティッシュペーパーケースが便利であり、このような収納ケースがあると子供でも外出時や学校に持って行きやすくなり、授業中に鼻をかんでもゴミ捨ての心配がなく勉強に集中できる。
色々な種類のボックスティッシュペーパーが販売されており保湿性のあるものや柔らかい質感の物等好みのボックスティッシュペーパーを適量枚数携帯することができるようになる。
鼻水には多くのウイルスが含まれているため使用済みのティッシュペーパーを捨てる場所がない場合はバックの中かポケットに閉まっておくことがあるが非常に不衛生である。
一時的に保管できるゴミ入れ部には予めポリ袋を入れておき出たゴミはゴミ入れ部に直接入れるのではなくポリ袋に入れゴミ入れ部が不潔にならないようにするためである。
携帯する際にティッシュペーパーが引き出されたまま飛び出している状態だと鞄の中で他の物と擦れ不衛生になったり、破けたりするのを防ぐために中折れの二つ折りにし、使う時は広げたままか外折れの二つ折りにして使用する。
ボックスティッシュペーパーを補充する場合はボックスティッシュペーパー収納部の観音開き部を左右に開きボックスティッシュペーパーの束をのせたら左右を閉じ、端をボタン・スナップ・面ファスナー等の止め具で固定する。
中折れの二つ折りにした場合観音開きのボックスティッシュペーパー部と対になるファスナーまたはスライダー等の結合部付きのポケット部には予備マスクや目薬・補充用のゴミ袋等を清潔に保ちながら一緒に携帯でき、ファスナーまたはスライダー等の結合部付き小物収納部のポケット下にはゴミを一時的にしまって置ける収納部を設けゴミが飛び出してこないようにボタン・スナップ・面ファスナー等の止め具で固定する。
携帯しやすいように肩からかけられたり、ズボンのベルト通しに引っ掛けられたりできるようにリングフックを２箇所固定する。
厚みがないため鞄に入れ携帯しやすい構成になっている。
本願のような構成をとることにより幅広く使用が可能になるなど多くの特徴を有するものとなる。
本発明は以上のような構成である。
【符号の説明】
【０００９】
１ａ   ボックスティッシュペーパーケース本体外側
１ｂ   ボックスティッシュペーパーケース本体内側
２ａ   ボックスティッシュペーパーの束を押さえる観音開きの右蓋
２ｂ   ボックスティッシュペーパーの束を押さえる観音開きの左蓋
３     観音開きの蓋
４     ファスナーまたはスライダー等の結合部をもうけた小物収納ポケット部
５     ゴミ入れ部
６     ボックスティッシュペーパーから抜出したティッシュペーパー
７     ボタン・スナップ・面ファスナー等の止め具
８     リングフック
９     ファスナーまたはスライダー等の結合部
【要約】      （修正有）【課題】本発明は風邪やアレルギー性鼻炎などで鼻水を素早く処理する為に、取り出しやすいボックスティッシュペーパーを適量携帯でき、マスクや目薬を清潔に保てる収納部と、ゴミ入れ部を設けた詰め替え補充ができる携帯ティッシュペーパーケースを提供する。【解決手段】中折れの二つ折りにしたティッシュペーパーケース本体内側１ｂに、観音開きの右蓋２ａ、左蓋２ｂを開くことでボックスティッシュペーパー６を補充ができ、ティッシュペーパー部と対になるファスナーまたはスライダー等の結合部９の付いたポケット部４には、予備マスクや目薬・補充用のゴミ袋等を清潔に保ちながら一緒に携帯できるようにし、小物収納部のポケット部４の下にはゴミを一時的にしまって置けるゴミ入れ部を設け、ゴミが飛び出してこないように止め具で固定した詰め替え補充ができる携帯ティッシュペーパーケース。【選択図】図２【図１】
0005600224.tif 000002
【図２】
0005600224.tif 000003
【図３】
0005600224.tif 000004
【図４】
0005600224.tif 000005
【図５】
0005600224.tif 000006
【図６】
0005600224.tif 000007
【図７】
0005600224.tif 000008